(57)【特許請求の範囲】
【請求項１】
郵便箱本体の前壁部の投入口用開口部の周縁部に、郵便箱の投入口を構成する口金が取り付けられた郵便箱の口金取付構造であって、
前記郵便箱本体の前壁部の投入口用開口部の上縁部には、下方に凹んでなる嵌合溝が設けられ、前記郵便箱本体の前壁部の投入口用開口部の下縁部には、固定具が挿入可能な挿入孔を有する固定具受け体が上下動可能に設けられており、
前記口金の上縁部には、前記嵌合溝に嵌合可能な突起部が設けられ、前記口金の下縁部には、前記固定具受け体の挿入孔に対応して、前記固定具が挿入可能な挿入孔を有する固定部が設けられており、
前記口金の取付状態では前記突起部が前記嵌合溝に嵌め込まれ、前記固定部の下方又は前方斜め下方からこの固定部の挿入孔及び前記固定具受け体の挿入孔に前記固定具が通された状態で前記固定部と前記固定具受け体とが固定されており、
前記郵便箱本体の前壁部の投入口用開口部の上縁部には、当該前壁部の他の部位よりも前方に突出した突出部が形成され、この突出部の上面に前記嵌合溝が設けられており、前記口金の上縁部には、前記突出部を嵌め込む凹部が形成され、この凹部の上壁部の内面側に前記突起部が設けられていることを特徴とする郵便箱の口金取付構造。
【請求項２】
前記突出部は、内部に空洞部を有しており、この空洞部内には前記口金の内面を照射する照明装置が設けられている請求項１記載の郵便箱の口金取付構造。
【請求項３】
前記固定具受け体は、前記郵便箱本体の前壁部の投入口用開口部の下縁部に沿って固定される固定部と、この固定部の下端側から前方に突出する突出部とを有しており、前記固定部には、上下方向に長い長孔が設けられているとともに、この長孔を通して固定具が固定されていて、前記固定具受け体が長孔に沿って上下動可能に設けられており、前記突出部には前記挿入孔が設けられている請求項１又は請求項２に記載の郵便箱の口金取付構造。
【発明の詳細な説明】
【技術分野】
【０００１】
本発明は、郵便箱の口金取付構造に関する。
【背景技術】
【０００２】
通常、郵便箱は、郵便箱本体の前壁部の投入口用開口部の周縁部に、郵便箱の投入口を構成する口金が取り付けられている。特許文献１には、このような郵便箱の口金取付構造の一例が記載されている。
【０００３】
すなわち、特許文献１記載の口金取付構造は、郵便箱本体の前壁部の投入口用開口部の上縁部に、外方に突出する係止受部を形成し、郵便箱本体の前壁部の投入口用開口部の下縁部に、内方に引っ込み傾斜する傾斜受部を形成する。また、口金の上縁部に、内方に突出する係止部を形成し、口金の下縁部に、内方に突出傾斜する傾斜部を形成する。そして、口金の取付時には郵便箱本体の係止受部に口金の係止部を係止するとともに、郵便箱本体の傾斜受部に口金の傾斜部を当接し、斜め上方に向けて挿通したねじなどの固定具によって固定する構成になっている。
【先行技術文献】
【特許文献】
【０００４】
【特許文献１】特開２００６−２２３４５７号公報
【発明の概要】
【発明が解決しようとする課題】
【０００５】
ところで、特許文献１記載の口金取付構造では、郵便箱本体の係止受部に口金の係止部を係止したり、その係止を解除したりする際、口金を上下方向に移動させる必要がある。しかし、この移動が、郵便箱本体の傾斜受部と口金の傾斜部との接触によって容易にできず、その分作業に手間が掛かるという問題がある。
【０００６】
本発明はかかる点に鑑みてなされたものであり、その課題は、前述した係止などのために口金を上下動させる必要があるときその移動を容易にでき、作業の効率化を図り得る郵便箱の口金取付構造を提供することにある。
【課題を解決するための手段】
【０００７】
前記の課題を解決するため、本発明は、郵便箱本体の前壁部の投入口用開口部の周縁部に、郵便箱の投入口を構成する口金が取り付けられた郵便箱の口金取付構造として、以下のような構成にする。すなわち、前記郵便箱本体の前壁部の投入口用開口部の上縁部には、下方に凹んでなる嵌合溝が設けられ、前記郵便箱本体の前壁部の投入口用開口部の下縁部には、固定具が挿入可能な挿入孔を有する固定具受け体が上下動可能に設けられている。また、前記口金の上縁部には、前記嵌合溝に嵌合可能な突起部が設けられ、前記口金の下縁部には、前記固定具受け体の挿入孔に対応して、前記固定具が挿入可能な挿入孔を有する固定部が設けられている。そして、前記口金の取付状態では前記突起部が前記嵌合溝に嵌め込まれ、前記固定部の下方又は前方斜め下方からこの固定部の挿入孔及び前記固定具受け体の挿入孔に前記固定具が通された状態で前記固定部と前記固定具受け体とが固定されている構成にする。
【発明の効果】
【０００８】
本発明における郵便箱の口金取付構造によれば、口金の取付時に突起部を嵌合溝に嵌め込むために口金を上下動させるときその移動を容易にできるので、作業の効率化を図ることができる。
【図面の簡単な説明】
【０００９】
【図１】図１は本発明の一実施形態に係る郵便箱の斜視図である。
【図２】図２は前記郵便箱の分解斜視図である。
【図３】図３は図１のＸ−Ｘ線における拡大断面図である。
【図４】図４Ａは前記郵便箱の主要部である郵便箱本体の斜視図であり、図４Ｂは図４Ａ中の固定具受け体の設置付近の拡大図である。
【図５】図５は前記郵便箱の一部品である口金の裏面側から見た斜視図である。
【発明を実施するための形態】
【００１０】
以下、本発明を実施するための形態である実施形態を図面に基づいて説明する。
【００１１】
図１及び図２は本発明の一実施形態に係る郵便箱１の全体構成を示す。なお、図１中、Ｆ方向を前方、Ｒ方向を後方として説明する。
【００１２】
郵便箱１は、郵便物を収納する箱状の郵便箱本体１０と、郵便箱１の投入口２を構成する口金３０とを備えている。郵便箱本体１０の外面は、前壁部１０ａ、後壁部１０ｂ、上壁部１０ｃ、底壁部１０ｄ及び左右一対の側壁部１０ｅ，１０ｅで構成されている。
【００１３】
郵便箱本体１０の前壁部１０ａの上部には、図３及び図４にも示すように、左右方向に長い矩形状の投入口用開口部１１が設けられており、投入口用開口部１１は、前壁部１０ａの内側に設けたフラップ１２により覆われている。フラップ１２は、その上縁側を支点として前壁部１０ａに開閉可能に支持されているとともに、バネにより閉じ方向に付勢されている。よって、フラップ１２は、通常、投入口用開口部１１を閉塞し、郵便箱１の投入口２から郵便物が投入されるときフラップ１２が後方に回転して投入口用開口部１１を開くようになっている。
【００１４】
郵便箱本体１０の後壁部１０ｂには、図２に示すように、その略全面に亘る大きさの矩形状の取出口１３が設けられているとともに、取出口１３を開閉可能に閉塞する取出扉１４が設けられている。利用者は、取出扉１４を開くことで取出口１３から郵便箱本体１０内に収納された郵便物を取り出すことができる。
【００１５】
郵便箱本体１０の上壁部１０ｃは、金属製の天板１５により構成されている。天板１５の前端部は、郵便箱本体１０の前壁部１０ａの投入口用開口部１１の上縁部（詳しくはその上半部分）を構成している。また、天板１５の前端部は、前壁部１０ａの投入口用開口部１１の上縁部以外の他の部位よりも前方に突出する突出部１６を構成している。
【００１６】
突出部１６の上面は、天板１５の突出部１６以外の上面よりも所定寸法（後述する口金３０の上枠部３１における凹部３５の上壁部３５ａの厚み分）だけ低くなっており、突出部１６の基端に沿って段差部１７が構成されている。また、突出部１６の左右両端面は、天板１５の突出部１６以外の左右両端面よりもそれぞれ所定寸法（後述する口金３０の側枠部３２の厚み分）だけ天板１５の幅方向中心線側に近寄って位置している。
【００１７】
突出部１６の上面には下方に凹んでなる嵌合溝１８が設けられている。嵌合溝１８は、段差部１７に沿ってその全長に亘って形成され、あるいは左右２箇所にそれぞれ段差部１７に沿って所定の長さに形成されている。
【００１８】
郵便箱本体１０の前壁部１０ａの投入口用開口部１１の下縁部には、ねじなどの固定具２１が挿入可能な挿入孔２２を有する固定具受け体２３が上下動可能に設けられている。
【００１９】
固定具受け体２３は、図４Ａ及び図４Ｂに詳示するように、投入口用開口部１１の横幅寸法の半分程度の長さを有する断面Ｌ字状の部材である。すなわち、固定具受け体２３は、前壁部１０ａの投入口用開口部１１の下縁部に沿って鉛直に固定される固定部２３ａと、固定部２３ａの下端側から前方に向かって水平に突出する突出部２３ｂと有している。固定部２３ａの左右２箇所にはそれぞれ上下方向に長い長孔２４が設けられているとともに、長孔２４を通してねじなどの固定具２５が前壁部１０ａに固定されていて、固定具受け体２３が長孔２４に沿って上下動可能に設けられている。固定具受け体２３の上下動可能な距離（つまり長孔２４の上下方向の長さ寸法）は、嵌合溝１８の深さ寸法と同一又はそれよりも少し大きい程度である。突出部２３ｂの長手方向（左右方向）中央部には挿入孔２２が設けられている。
【００２０】
一方、口金３０は、郵便箱本体１０の前壁部１０ａの投入口用開口部１１の周縁部に取り付けられている。口金３０は、図１ないし図３に示し、図５にも示すように、投入口２の上縁部を構成する上枠部３１と、投入口２の左右側縁部をそれぞれ構成する左右一対の側枠部３２，３２と、投入口２の下縁部を構成する表札部３３及び下枠部３４とを有している。これらの部分３１〜３４が一連につながることで、口金３０は、矩形枠状の外形でもって投入口２を構成している。投入口２は、郵便箱本体１０の前壁部１０ａの投入口用開口部１１に連通している。
【００２１】
口金３０の上枠部３１には突出部１６を後方から嵌め込む凹部３５が形成されている。凹部３５は、口金３０の上端に位置する上壁部３５ａと、投入口２の上縁に位置する下壁部３５ｂとを有し、この両壁部３５ａ，３５ｂ間に突出部１６が後方から嵌め込まれる。
【００２２】
凹部３５の上壁部３５ａの内面側には左右２つのフック部材３６，３６が設けられている。各フック部材３６は、金属製の薄板からなる。また、各フック部材３６は、上壁部３５ａの内面に溶接又は接着剤などにより固定された固定部３６ａと、固定部３６ａの後端を下方に折り曲げてなりかつ嵌合溝１８に嵌合可能な突起部３６ｂとを有している。各フック部材３６の固定部３６ａを上壁部３５ａの内面に固定するに当たっては、上壁部３５ａの内面に上方にフック部材３６の厚み分だけ凹んだ凹み３７を設け、この凹み３７に各フック部材３６の固定部３６ａを固定する。これにより、フック部材３６の固定状態ではフック部材３６の固定部３６ａの下面と上壁部３５ａの内面とが面一になる。
【００２３】
凹部３５の下壁部３５ｂには、後述する照明装置５２の導光部材５３に対応して、左右方向に長い窓用開口部３８が設けられているとともに、窓用開口部３８を覆うカバー３９が設けられている。カバー３９は、透光性を有している。カバー３９の左右方向の両端部は、それぞれ下壁部３５ｂの内面（上面）と下壁部３５ｂに形成した保持部４０との間に挟まれて保持されている。保持部４０の上面と突出部１６の前面部１６ａの下端との間には嵌合溝１８の深さ寸法よりも大きな隙間４１が設けられている。
【００２４】
また、口金３０の下枠部３４には、固定具受け体２３の突出部２３ｂに対応して、この突出部２３ｂの前端部を収容可能な凹部４６と、凹部４６の下壁部と連続しかつ突出部２３ｂの下面に当接可能な固定部４７とが形成されている。凹部４６及び固定部４７は、いずれも口金３０の下枠部３４の左右方向の略全長に亘って形成されている。固定部４７の左右方向中央部には、固定具受け体２３の挿入孔２２に対応して、固定具２１が挿入可能な挿入孔４８が設けられている。
【００２５】
しかして、口金３０の取付時には、口金３０の上枠部３１側では、口金３０の凹部３５内に郵便箱本体１０の突出部１６を嵌め込むとともに、各フック部材３６の突起部３６ｂをそれぞれ嵌合溝１８に嵌め込む。また、口金３０の下枠部３４側では、先ず、固定具受け体２３を長孔２４を介して少し上方に持ち上げた状態で、口金３０の凹部４６に固定具受け体２３の突出部２３ｂの前端部を収納する。その後、口金３０の固定部４７の下方から固定部４７の挿入孔４８及び固定具受け体２３の挿入孔２２に固定具２１を挿入して固定部４７と固定具受け体２３とを固定する。以上によって、口金３０の取付構造が構成されている。なお、口金３０の取付状態では、図１に示すように、口金３０の上枠部３１の上面と郵便箱本体１０の上壁部１０ｃの上面とが面一になり、口金３０の側枠部３２と郵便箱本体１０の側壁部１０ｅとが面一になる。
【００２６】
郵便箱本体１０の突出部１６は、内部に空洞部５１を有している。空洞部５１は、下方に開放された形状になっている。また、空洞部５１は、突出部１６の左右方向の略全長に亘って形成されている。空洞部５１内には口金３０の内面を照射する照明装置５２が設けられている。
【００２７】
照明装置５２は、空洞部５１内を左右方向に延びる棒状の導光部材５３と、導光部材５３の長手方向（左右方向）の端面に対向する位置に設けられた発光ダイオードなどからなる光源５４と、導光部材５３及び光源５４を収納したケース５５とを有している。    
【００２８】
光源５４から出た光は、導光部材５３の長手方向の端面から導光部材５３に入る。この光は、導光部材５３の反対側の端面に向かって進行し、この進行の過程で導光部材５３の上面によって下面側に拡散反射し、この後、導光部材５３の下面から下側に向かって出射する。これにより、導光部材５３は、長手方向の全長に亘って発光する。
【００２９】
ケース５５の両端は、それぞれブラケット及びねじなどの固定具を介して突出部１６に固定されている。ケース５５には、導光部材５３の下面に対向して、透光性を有する窓部５６が設けられている。導光部材５３の下面から出た光は、ケース５５の窓部５６、口金３０のカバー３９及び窓用開口部３８を通して、口金３０の内面に至り当該内面を照らす。
【００３０】
なお、図１中、６１は口金３０の上枠部３１の前面部３１ａに設けられた照度センサなどのセンサ、６２は同じく口金３０の上枠部３１の前面部３１ａに設けられた居住者の氏名などを表示する表示部であって、表示部６２は透光性を有している。また、表示部６２に対向して、突出部１６の前面部１６ａには切欠部６３（図２参照）が、ケース５５には窓部がそれぞれ設けられていて、導光部材５３の側面から出た光が、これらを通して表示部６２を裏側から照らすようになっている。
【００３１】
次に、前記実施形態の作用効果を説明するに、郵便箱本体１０の前壁部１０ａの投入口用開口部１１の周縁部に、郵便箱１の投入口２を構成する口金３０を取り付ける場合の作業手順を述べながら説明する。
【００３２】
すなわち、口金３０の上縁部である上枠部３１側では、口金３０の凹部３５内に郵便箱本体１０の突出部１６を嵌め込むとともに、各フック部材３６の突起部３６ｂをそれぞれ嵌合溝１８に嵌め込む。この際、口金３０の凹部３５内で突出部１６との間の隙間が最も小さくなる箇所は、保持部４０との間の隙間４１であるが、この隙間４１は、嵌合溝１８の深さ寸法よりも大きくなっている。このため、口金３０の凹部３５内に突出部１６を嵌め込んだ状態のままで口金３０を、一旦上方に持ち上げ、その後下方に移動させることにより、各フック部材３６の突起部３６ｂをそれぞれ嵌合溝１８に嵌め込むことができる。この結果、作業を容易かつ迅速に行うことができ、作業の効率化を図ることができる。
【００３３】
また一方、口金３０の下縁部である下枠部３４側では、先ず、固定具受け体２３を長孔２４を介して少し上方に持ち上げた状態で、口金３０の凹部４６に固定具受け体２３の突出部２３ｂの前端部を収納することにより、仮取付状態とする。この状態のとき、口金３０の上枠部３１側で口金３０を上下動させながら各フック部材３６の突起部３６ｂを嵌合溝１８に嵌め込んだり、その嵌め込みを外したりすることがある。この際、固定具受け体２３は、郵便箱本体１０の前壁部１０ａに上下動可能に設けられているため、仮取付状態のままでも口金３０を容易に上下移動させることができ、作業の効率化をより図ることができる。
【００３４】
その後、口金３０の固定部４７の下方から固定部４７の挿入孔４８及び固定具受け体２３の挿入孔２２に固定具２１を挿入して固定部４７と固定具受け体２３とを固定する。以上によって、口金３０の取付作業が終了する。また、取付時とは逆の作業手順によって、口金３０を取り外すことができる。
【００３５】
このように、本実施形態の口金３０の取付構造では、口金３０の取付や取外しなどの作業を容易かつ迅速に行うことができ、作業の効率化を図ることができる。
【００３６】
その上、口金３０を固定するための固定具２１は、口金３０の固定部４７の下方から固定部４７の挿入孔４８及び固定具受け体２３の挿入孔２２に挿入して固定部４７と固定具受け体２３とを固定している。このため、郵便箱１の前方から見て固定具２１が目立つことは少なく、その分見栄えを良好にすることができる。
【００３７】
また、口金３０の上枠部３１側では、口金３０に設けたフック部材３６の突起部３６ｂが郵便箱本体１０の突出部１６の上面に設けた嵌合溝１８に嵌め込むだけでなく、口金３０の凹部３５内に郵便箱本体１０の突出部１６を嵌め込む構成になっている。このため、上枠部３１側での口金３０の取付強度を高めることができる。
【００３８】
しかも、突出部１６の上面は、天板１５の突出部１６以外の上面よりも所定寸法だけ低くなっており、また、突出部１６の左右両端面は、天板１５の突出部１６以外の左右両端面よりもそれぞれ所定寸法だけ天板１５の幅方向中心線側に近寄って位置している。そして、口金３０の取付状態では、口金３０の上枠部３１の上面と郵便箱本体１０の上壁部１０ｃの上面とが面一になり、口金３０の側枠部３２と郵便箱本体１０の側壁部１０ｅとが面一になる。このため、口金３０と郵便箱本体１０とが外観的に一体感を増すことになり、郵便箱１の外観を良好にすることができる。
【００３９】
さらに、突出部１６は、内部に空洞部５１を有しており、空洞部５１内には口金３０の内面を照射する照明装置５２が設けられている。このため、夜間などに口金３０の内面が照明装置５２によって照らされることになり、郵便箱１の機能を高めることができる。特に、本実施形態の場合、口金３０は、投入口２の下縁部に表札部３３を有しているため、表札部３３の照明として有効である。
【００４０】
加えて、固定具受け体２３は、郵便箱本体１０の前壁部１０ａの投入口用開口部１１の下縁部に沿って固定される固定部２３ａと、固定部２３ａの下端側から前方に突出する突出部２３ｂとを有している。固定部２３ａには、上下方向に長い長孔２４が設けられているとともに、長孔２４を通して固定具２５が固定されていて、固定具受け体２３が長孔２４に沿って上下動可能に設けられている。突出部２３ｂには挿入孔２２が設けられている。この構成では、長孔２４の形成と固定具２５を用いるだけで固定具受け体２３を郵便箱本体１０の前壁部１０ａの投入口用開口部１１の下縁部に上下動可能に設けることができるので、実施化を図る上で有利である。
【００４１】
なお、本発明は前記実施形態に限定されるものではなく、その他種々の形態を包含するものである。例えば前記実施形態では、郵便箱本体１０の前壁部１０ａの投入口用開口部１１の上縁部に、当該前壁部１０ａの他の部位よりも前方に突出した突出部１６を形成する一方、口金３０の上枠部３１に、突出部１６を嵌め込む凹部３５を形成した。しかし、本発明の形態としては、このような構成は必須のものではない。郵便箱本体１０の前壁部１０ａの投入口用開口部１１の上縁部に、下方に凹んでなる嵌合溝１８を設ける一方、口金３０の上枠部３１に、嵌合溝１８に嵌合可能な突起部３６ｂを設ける。口金３０の取付状態では口金３０の上枠部３１側で単に、突起部３６ｂを嵌合溝１８に嵌め込むだけの構成にしてよい。
【００４２】
また、前記実施形態では、口金３０の下枠部３４に設けた固定部４７の下方から固定部４７の挿入孔４８及び固定具受け体２３の挿入孔２２に固定具２１を挿入して固定部４７と固定具受け体２３とを固定するように構成した。しかし、本発明の形態としては、これに限らず、固定部４７の前方斜め下方から固定部４７の挿入孔４８及び固定具受け体２３の挿入孔２２に固定具２１を挿入して固定部４７と固定具受け体２３とを固定するように構成してもよい。この場合でも、郵便箱１の前方から見て固定具２１が目立つことは少なく、見栄えを良好にすることができる。
【００４３】
さらに、前記実施形態では、口金３０の上枠部３１に、嵌合溝１８に嵌合可能な突起部３６ｂを設けるに当たり、口金３０とは別体でかつ突起部３６ｂを有するフック部材３６を用いた。しかし、本発明の形態としては、口金３０に突起部を一体的に設けるようにしてもよいのは勿論である。
【００４４】
加えて、前記実施形態では、凹部３５の下壁部３５ｂの窓用開口部３８を覆うカバー３９を設けるに当たり、カバー３９の左右方向の両端部を、それぞれ下壁部３５ｂの内面と下壁部３５ｂに形成した保持部４０との間に挟んで保持する構成にした。しかし、本発明の形態としては、カバー３９の保持ないし固定のために別の手段を用いてもよい。例えば、凹部３５の下壁部３５ｂの窓用開口部３８にカバーを下壁部３５ｂと面一に嵌め込んで凹凸構造又は接着剤などにより固定する構成にしてもよい。この場合、下壁部３５ｂの上面と突出部１６の前面部１６ａの下端との間に、嵌合溝１８の深さ寸法よりも大きな隙間を設ければ、実施形態の場合と同様の効果を奏することができる。つまり、凹部３５内に突出部１６を嵌め込んだ状態のままで口金３０を上下動させながらフック部材３６の突起部３６ｂを嵌合溝１８に嵌め込むことができ、作業を容易かつ迅速に行うことができる。
【００４５】
以上説明したように、本発明の第１の形態は、郵便箱本体１０の前壁部１０ａの投入口用開口部１１の周縁部に、郵便箱１の投入口２を構成する口金３０が取り付けられた郵便箱１の口金取付構造として、下記のような構成とする。
【００４６】
すなわち、郵便箱本体１０の前壁部１０ａの投入口用開口部１１の上縁部には、下方に凹んでなる嵌合溝１８が設けられている。郵便箱本体１０の前壁部１０ａの投入口用開口部１１の下縁部には、固定具２１が挿入可能な挿入孔２２を有する固定具受け体２３が上下動可能に設けられている。一方、口金３０の上縁部には、嵌合溝１８に嵌合可能な突起部３６ｂが設けられ、口金３０の下縁部には、固定具受け体２３の挿入孔２２に対応して、固定具２１が挿入可能に挿入孔４８を有する固定部４７が設けられている。口金３０の取付状態では突起部３６ｂが嵌合溝１８に嵌め込まれ、固定部４７の下方又は前方斜め下方から固定部４７の挿入孔４８及び固定具受け体２３の挿入孔２２に固定具２１が通された状態で固定部４７と固定具受け体２３とが固定されている。
【００４７】
この構成では、口金３０の取付時などには口金３０の上縁部（上枠部）３１側で口金３０を上下動させながら突起部３６ｂを嵌合溝１８に嵌め込んだり、その嵌め込みを外したりすることがある。この際、口金３０の下縁部（下枠部）３４側で固定部４７と固定具受け体２３とが接触している状態のときでも、固定具受け体２３は、郵便箱本体１０の前壁部１０ａに上下動可能になっているため、口金３０を容易に上下動させることができる。この結果、作業を容易にかつ迅速に行うことができ、作業の効率化を図ることができる。その上、郵便箱１の前方から見て固定具２１が目立つことは少なく、その分見栄えを良好にすることができる。
【００４８】
本発明の第２の形態は、下記のような構成とする。すなわち、郵便箱本体１０の前壁部１０ａの投入口用開口部１１の上縁部には、前壁部１０ａの他の部位よりも前方に突出した突出部１６が形成され、突出部１６の上面に嵌合溝１８が設けられている。一方、口金３０の上縁部３１には、突出部１６を嵌め込む凹部３５が形成され、凹部３５の上壁部３５ａの内面側に突起部３６ｂが設けられている。
【００４９】
この構成では、口金３０の上縁部３１側では、口金３０に設けた突起部３６ｂが郵便箱本体１０の前壁部１０ａに設けた嵌合溝１８に嵌め込むだけでなく、口金３０の凹部３５内に郵便箱本体１０の突出部１６を嵌め込む構成になっている。このため、上縁部３１側での口金３０の取付強度を高めることができる。
【００５０】
本発明の第３の形態は、下記のような構成とする。すなわち、突出部１６は、内部に空洞部５１を有しており、空洞部５１内には口金３０の内面を照射する照明装置５２が設けられている。
【００５１】
この構成では、夜間などに口金３０の内面が照明装置５２によって照らされることになり、郵便箱１の機能を高めることができる。
【００５２】
本発明の第４の形態は，下記のような構成とする。すなわち、固定具受け体２３は、郵便箱本体１０の前壁部１０ａの投入口用開口部１１の下縁部に沿って固定される固定部２３ａと、固定部２３ａの下端側から前方に突出する突出部２３ｂとを有している。固定部２３ａには、上下方向に長い長孔２４が設けられているとともに、長孔２４を通して固定具２５が固定されていて、固定具受け体２３が長孔２４に沿って上下動可能に設けられている。突出部２３ｂには挿入孔２２が設けられている。
【００５３】
この構成では、長孔２４の形成と固定具２５を用いるだけで固定具受け体２３を郵便箱本体１０の前壁部１０ａの投入口用開口部１１の下縁部に上下動可能に設けることができるので、実施化を図る上で有利である。
【符号の説明】
【００５４】
１    郵便箱
２    投入口
１０    郵便箱本体
１０ａ  前壁部
１１    投入口用開口部
１６    突出部
１８    嵌合溝
２１    固定具
２２    挿入孔
２３    固定具受け体
２３ａ  固定部
２３ｂ  突出部
２４    長孔
２５    固定具
３０    口金
３１    上枠部（上縁部）
３４    下枠部（下縁部）
３５    凹部
３５ａ  上壁部
３６ｂ  突起部
４７    固定部
４８    挿入孔
５１    空洞部
５２    照明装置
【図１】
0006675087.tif 000002
【図２】
0006675087.tif 000003
【図３】
0006675087.tif 000004
【図４】
0006675087.tif 000005
【図５】
0006675087.tif 000006